(57)【特許請求の範囲】
【請求項１】
非接触電力システムのための受電器であって、前記受電器は、受電コイルを有しており、かつ、前記送電器の送信コイルとの非接触電磁結合を介して、送電器によって送信される電力パルスを受信するよう構成されており、
前記受電器は、前記電力パルスの受信に応じて固有の磁気信号を送信コイルへ反射する予負荷回路を備え、
前記受電器の前記予負荷回路は、１つ以上の抵抗器と、１つ以上のキャパシタと、スイッチング可能負荷と、スイッチとを備え、前記スイッチング可能負荷は、１つ以上の抵抗器の抵抗値及び１つ以上のキャパシタの容量値に依存するＤＣ信号を使用して、スイッチングを生じて、前記磁気信号を提供するために、ある時間、前記受信された電力パルスによって前記受電器に生じる、ある量のエネルギーをシンクするように、構成されており、
前記１つ以上のキャパシタが、第１のキャパシタを有し、該第1のキャパシタが、前記ある時間に渡って前記電力パルスの受信の際に、充電して、前記ある時間の終りに前記スイッチのスイッチングを生じるＤＣ信号を提供するように構成されている、ことを特徴とする受電器。
【請求項２】
前記１つ以上の抵抗器及び前記１つ以上のキャパシタが、
前記電力パルスの受信に続く前記ある時間の始まりと、
前記電力パルスの受信に続く前記ある時間の終わりと、
のうちの１つ又は両方を設定するように構成された、抵抗器及びキャパシタを備えることを特徴とする請求項１に記載の受電器。
【請求項３】
前記ある時間が２００から５００マイクロ秒である、ことを特徴とする請求項１又は２に記載の受電器。
【請求項４】
前記スイッチのスイッチングは、前記ある時間の前記終りにスイッチング可能負荷のスイッチングを生じることを特徴とする請求項１乃至３の何れか１項に記載の受電器。
【請求項５】
前記ある時間の前記終りに前記スイッチング可能負荷の前記スイッチングを生じることが、前記スイッチング可能負荷を切断して、これによって、前記スイッチング可能負荷によるエネルギーのシンクを停止することを特徴とする請求項４に記載の受電器。
【請求項６】
前記予負荷回路が、前記電力パルスの受信の際に充電し、前記電力パルスの停止の際に放電するように構成された第２のキャパシタを備え、充電と放電の間の経過時間は、第２の時間を与え、前記第２のキャパシタが、前記第１のキャパシタと接続していて、前記第２の時間の終りに第１のキャパシタの放電を生じることを特徴とする請求項１乃至５の何れか１項に記載の受電器。
【請求項７】
前記スイッチング可能負荷が、選択されたインダクタンス値を有する１つ以上のインダクタを備える請求項請求項１乃至６の何れか１項に記載の受電器。
【発明の詳細な説明】
【技術分野】
【０００１】
本発明は、非接触の誘導結合型電力伝送（ＩＣＰＴ）システムの技術分野のものである。より具体的には、排他的ではなく、本発明は磁気シグネチャ（magnetic signature）を提供するための予負荷回路（preload circuit）を有する受電器に関するものである。
【背景技術】
【０００２】
非接触電力システムは、典型的には、交流磁界を生成する送電器と、局所電源を提供するよう、生成された磁界と結合される１つ以上の受電器とで構成される。このような非接触受電器は、送電器に近接した範囲内にあるが、送電器から電気的に絶縁されている。非接触受電器は、送電器によって生成された磁界によって電流が誘導される受電コイルを備え、電気負荷へ電力を供給する。
【０００３】
従来、送電器側と受電器側とが結合されるとすぐに受電器側負荷へ直接、電力が送信されている。２０１２年１１月５日に出願された（そして、２０１３年１１月５日の国際出願日を有するＰＣＴパンフレット番号２０１４／０７００２６として公開された）「誘導結合型電力伝送方法及びシステム（Inductively Coupled Power Transfer Method and Systems）」との表題の出願人の米国仮出願番号６１／７２２，５６４は、そのコンテンツ全体が本明細書で援用され、低電力スタンバイ状態を有する送電器について記載しており、当該低電力スタンバイ状態では、送電器は受電器の結合を検出可能であり、そのような結合が検出された場合にのみ、送電器は低電力スタンバイ状態からウェイクアップするかまたは「アクティブ化」され、そのような結合が終わった場合に送電器は当該低電力スタンバイ状態に入る。種々の検出回路及び方法が記載されており、それらは一般に、送信コイルを介した低エネルギーパルスの送信と、送電器側回路内の電気条件の何らかの変化の検出とを伴う。
【０００４】
しかし、多くのＩＣＰＴシステムでは、受電器側負荷へ電力が送られる前に、送電器と受電器との間の互換性を確保することは更に有利であろう。
【発明の概要】
【０００５】
例示的な実施形態によれば、送信コイルを有する送電器と、受信コイルを有する受電器とを備える非接触電力システムであって、受電器は、それぞれのコイルの非接触電磁結合を介して送電器によって送信される電力パルスを受信するよう構成されており、受電器は、電力パルスの受信に応じて固有の磁気信号を送信コイルへ反射する予負荷回路を備えることを特徴とする非接触電力システムが提供される。
【０００６】
受電器の予負荷回路は、所定時間、受信された電力パルスによって受電器に生じる、固有の磁気信号を提供する量のエネルギーをシンクするスイッチング可能負荷を備えてもよい。
【０００７】
スイッチング可能負荷は、受信された電力パルスによって受電器に生じる、選択された量のエネルギーをシンクするように選択された抵抗値を有することで、選択された磁気信号を生じさせる１つ以上の抵抗素子を備えてもよい。
【０００８】
受電器の予負荷回路は、電力パルスの受信に応じて第１期間にわたって充電されるとともに、第１期間の終わりにスイッチング可能負荷のスイッチングを生じさせるよう構成された第１容量性素子を備えてもよい。
【０００９】
スイッチング可能負荷は、第１期間の終わりにオフになることでスイッチング可能負荷によるエネルギーのシンクを停止させるよう構成されてもよい。第１容量性素子の容量値は、第１期間が、受信された電力パルスによって受電器内に生じる、選択された量のエネルギーをスイッチング可能負荷にシンクさせるように選択される。
【００１０】
受電器の予負荷回路は、電力パルスの受信に応じて充電されるとともに、電力パルスの停止に応じて放電するように構成された第２容量性素子を備えてもよく、充電と放電との間の経過時間は第２期間を提供し、第２容量性素子は、第２期間の終わりに第１容量性素子の放電を生じさせるために第１容量性素子に接続されている。
【図面の簡単な説明】
【００１１】
本明細書に組み込まれ、本明細書の一部を構成する添付の図面は、本発明の実施形態を示しており、また、上記で与えられた本発明の概要、及び以下で与えられる実施形態の詳細な説明とともに、本発明の原理を説明するのに貢献する。
【００１２】
【図１】図１は、予負荷回路を備える受電器と動作可能に結合される送電器を有するＩＣＰＴシステムのブロック図を示す。
【図２】図２は、図１の予負荷回路のブロック図を示す。
【図３】図３は、図２の予負荷回路の例示的な実装のためのフル回路図を示す。
【図４】図４は、（ａ）予負荷回路の動作のために送電器から受信される例示的なＡＣ入力、（ｂ）予負荷回路の電圧／電流条件、及び、（ｃ）予負荷回路の動作中における受電器の中間電圧についての対応する電圧条件、を示す。
【発明を実施するための形態】
【００１３】
図１に示される典型的な非接触または誘導結合型（ＩＣＰＴ）システムは、送電器１００及び受電器１０１を備える。送電器１００は、磁界を生成するように電力送信（送電）コイル１０３を駆動するコントローラ１０２を備える。送信コイル１０３は、交流磁界を生成するように駆動されうる。受電器１０１は、電力受信（受電）コイル１０５、同調回路１０６、整流器１０７、負荷１０８、及び電力フロー制御回路１０９を備える。受信コイル１０５及び同調回路１０６は、共振回路を表現する。送電器１００は、同調コンポーネントを有するかまたは有しない同様の共振回路を備える。
【００１４】
受信コイル１０５が送信コイル１０３にごく近接している場合、送電器１００の磁界が受信コイル１０５内に電流を誘導する。磁界が交流であるため、誘導された交流電流は整流器１０７によって整流されて直流電流に変換され、それによりＤＣ電力が負荷１０８へ送られる。これを実現するために、整流器１０７は、ハーフブリッジまたはフルブリッジの整流器であってもよいが、他の実装も可能である。更に、本発明には、ＡＣ電力を受電器側負荷へ送る実装を適用可能である。負荷１０８は、例えばコンシューマデバイスの充電可能バッテリーを表現してもよく、容量性素子及び抵抗素子を含むように描かれているが、これは例示にすぎず、より複雑な負荷でもよい。
【００１５】
受信電力のレベルは、同調回路１０６によって受電器１０１の共振回路が共振させられる周波数に依存する。送電器及び受電器の共振回路の共振周波数のマッチングによって、最大電力伝送が可能になる。受電器側負荷へ送られる電力の制御は、様々な方法で提供される。例えば、送電器側の動作周波数を同調させるか、受電器側の共振周波数を同調させるか、またはその両方によって、制御が適用されうる。更に、負荷１０８への電力フロー制御は、負荷電力の要求条件を満たすように、負荷１０８へ送られる電力を調整する制御回路１０９によって提供される。例えば、制御回路１０９は、受電器負荷の要求条件に依存して、バック（Buck）、ブースト（boost）等のような構成を有する電力変換器であってもよい。
【００１６】
従来、使用される電力フロー制御レジーム（regime）に関係なく、送電器側と受電器側とが結合されるとすぐに受電器側負荷へ直接、電力が送信されている。本発明は、受電器側回路内に予負荷回路を含めることで、上記の援用した米国仮出願番号６１／７２２，５６４に記載の検出レジームの機能を拡張することによって、電力が受電器側へ送られる前に、送電器と受電器との間の互換性を確保する。
【００１７】
図１を再び参照すると、本発明のＩＣＰＴシステムには、整流器１０７及び制御回路１０９によって提供される整流ステージと電力フロー制御ステージとの間に、予負荷回路１１０が更に設けられている。予負荷回路１１０は、ライン１１１を介して受信される送電器検出信号によって受電器側の共振回路内に誘導される非整流受信電力Ｐinを用いて操作されるスイッチング回路の制御下で、整流器１０７から出力される整流電圧Ｖintを受信するスイッチング可能負荷を表現する。予負荷回路１１０の目的は、固有の受電器検出信号を送電器に提供するように、送電器側検出信号によって提供されるエネルギーを、所定時間、シンクする（sink）ことである。以下では、予負荷回路のこの態様及び他の態様について、図２及び図３を参照して説明する。
【００１８】
図２は、例示的な予負荷回路２１０をブロック図として示し、図３は、予負荷回路２１０を例示的なフル回路図として示す。図２及び図３に示される予負荷回路の同様のエレメントには、同様の参照番号が付けられている。以下では、本発明の予負荷回路の構成及び例示的な動作について説明する。
【００１９】
予負荷回路２１０は、整流電圧Ｖintを受信する予負荷２１１と、受電回路に対して予負荷２１１を接続／切断するための予負荷スイッチ２１２と、動作のための受信電力Ｐinをそれぞれ受信し、かつ、予負荷スイッチ２１２の動作のタイミング制御を一緒に提供する予負荷セット／リセット回路２１３及び予負荷切断回路２１４と、予負荷回路２１０をリセットするよう動作する予負荷リセットスイッチ２１５と、を有する。セット／リセット回路２１３とリセットスイッチ２１５との間のゲートスイッチ２１６、及び切断回路２１４と予負荷スイッチ２１２との間のゲートスイッチ２１７とが、更に設けられており、それらは予負荷電源２１８からの予備電力Ｐauxの制御下で動作する。
【００２０】
使用中には、送電器検出信号からの受信ＡＣ電力Ｐinが、予負荷回路２１０をアクティブ化するために入力される一方で、受電器１０１の整流ステージと調整ステージとの中間であるために本明細書で「中間電圧」と称される整流電圧Ｖintが、予負荷電源２１８をアクティブ化するために入力され、それにより予負荷スイッチ２１２及びリセットスイッチ２１５がオンになる。これは、予負荷２１１が、中間電圧Ｖintによって提供されるエネルギーを消散（dissipating）することでエネルギー「ダンプ（dump）」または電力「シンク（sink）」として動作することを可能にする。このエネルギーダンプは、送電器１００へ逆に反射する急な電流突入を生じさせる。上記の援用した米国仮出願番号６１／７２２，５６４に記載のように、このような反射突入信号は、受電器に対する結合を検出するために送電器によって使用される。しかし、これまでの受電器構成と異なり、本発明の受電器における予負荷回路の追加によって、受電器の結合の検出だけでなく、特定の受電器タイプの識別も可能になる。以下では、この識別について説明する。
【００２１】
予負荷２１１は、中間電圧Ｖintに対するインピーダンスとして構成され、例えば図３において、予負荷２１１は抵抗素子を含むように描かれている。このため、種々の値の、及び／または種々の組み合わせで、抵抗、キャパシタ及び／またはインダクタで予負荷を構成することによって、予負荷２１１によって「ダンプされる」エネルギーの量が変化しうるとともに、その結果として、関連する反射突入信号の特性が変化しうる。したがって、固有に構成された予負荷回路を受電器に設けることで、特定の受電器を識別及び区別するために送電器によって使用可能な、受電器の固有の磁気信号または磁気シグネチャが提供される。これには多くの利点がある。
【００２２】
例えば、電力伝送を開始するための条件として、送電器によって送信された電力を本来的に受信できる受電器の結合にただ依存するのではなく、本発明のＩＣＰＴシステムは、電力伝送前に送電器による受電器の検証を可能にする。この初期検証（またはハンドシェイク）は、個別にまたは種々の組み合わせで非網羅的に含む、以下の数々の理由で有利である。
１）安全性の増加：金属性の物体のような電気的に導電性の物体が送信コイルの近くにある場合に送信コイルには電力が供給されないことで、物体の望ましくない発熱を防がれ、その結果として、いわゆる異物検出（ＦＯＤ：foreign object detection）の改善をもたらす。
２）ロバスト性の増加：互換性のない受電器に送電器によって電力が供給されることに起因する、受電器及び／または送電器の故障が防止される。
３）効率の増加：送電器の動作周波数が、検証された互換性のある受電器の共振周波数に対して動的かつ精密に同調されうる。
４）消費電力の減少：互換性のない受電器または異物が送電器の電力アップをトリガすることがないため、送電器は、互換性のある受電器が検出されるまで低電力スタンバイまたはスリープモードに維持されうる
５）：互換性の増加：種々の互換性のある受電器を固有に識別する能力は、単一の送電器が多くの異なるタイプの受電器に電力供給するために使用可能となるように、例えば、ある範囲の電力レベルを送るように構成された送電器が、伝送の有効性を妥協することなく、７．５Ｗを要求するスマートフォンを充電するとともに１５Ｗを要求するタブレットを充電するために使用可能となるように、適切な量の電力を送れることを意味する。
６）データ収集：送信コイルと受信コイルとの間のミスアライメントのような重要情報を集めることも可能である。
【００２３】
本発明の予負荷回路２１０は、更に、広範囲の送電器‐受電器検出レジームをサポートするように構成される。即ち、受電器を検出するために、連続して素早く複数のエネルギーパルスを送信するように構成されうる。例えば、送電器は、エネルギーパルスを２００マイクロ秒の長さで送信し、その後、最初のパルスと同じタイプ（周期及び周波数）であってもなくてもよい次のエネルギーパルスの感知前に、５０マイクロ秒の期間、待機してもよい。予負荷回路２１０は、エネルギーパルスが受信されたら固有の磁気シグネチャが素早く通信されるとともに、後続のエネルギーパルスの受信前に当該回路に残っているあらゆるエネルギーを消散させるために当該回路が素早くリセットされるように、構成される。これは、予負荷スイッチ２１２及びリセットスイッチ２１５の動作によって達成され、それらのスイッチは、送電器エネルギーパルスの受信に応じて最初はオンにされ、その後、セット／リセット回路２１３及び切断回路２１４の動作によって設定される所定時間の後にオフにされる。当該所定時間は、予負荷回路２１０の切断及びリセットが、受電器の検出のために送電器によって送信される短周期エネルギーパルス間のタイミングまでに生じるように設定される。予負荷回路の切断は、後続するエネルギーパルス予負荷回路によってダンプされることを可能にするか、または、送電器からの通常の電力送信に応じて制御回路１０９を介した負荷１０８への通常の電力フローを可能にする。予負荷回路のセット及びリセットのタイミングは、後述するように達成される。
【００２４】
再び図３を参照して、以下では予負荷回路のフル回路例について説明する。セット／リセット回路２１３及び切断回路２１４のそれぞれは、電力変換器として構成された容量性素子及び抵抗素子を備え、それにより、入力ＡＣ電力Ｐinが、容量値及び抵抗値にそれぞれ依存する個別のＤＣ信号へ変換される。ゲートスイッチ２１６，２１７は、半導体スイッチ、即ち、ｎｐｎ型のバイポーラ結合トランジスタとして構成され、ベースが、各ＤＣ信号を受信し、エミッタが、グランドに接続され、コレクタが、ゲートスイッチ２１６については予負荷リセットスイッチ２１５に接続され、ゲートスイッチ２１７については予負荷スイッチ２１２に接続されている。このように、セット／リセット回路２１３及び切断回路２１４からのＤＣ信号が、ゲートスイッチ２１６，２１７を動作させる。
【００２５】
予負荷スイッチ２１２及び予負荷リセットスイッチ２１５も半導体スイッチとして構成されるが、ｎ型の金属酸化膜半導体電界効果トランジスタ（ｎＭＯＳＦＥＴ）として構成され、ゲートが、プルアップ抵抗素子２１９，２２０をそれぞれ介して予負荷電源２１８からの予備電力Ｐauxを受信し、ソースが、グラウンド（図２も参照）に接続され、ドレインが、予負荷スイッチ２１２については予負荷２１１に接続され、予負荷リセットスイッチ２１５についてはゲートスイッチ２１７のベースに接続される。予負荷電源２１８は、容量性素子を備え、当該容量性素子は中間電圧Ｖintの受信に応じて充電され、それにより、予備電力Ｐauxを予負荷スイッチ２１２及び予負荷リセットスイッチ２１５のゲートへ供給して当該スイッチ２１２，２１５をデフォルトでオンにする。予負荷スイッチ２１２及び予負荷リセットスイッチ２１５の各ゲートは、ゲート‐ソース電圧が、ｎＭＯＳＦＥＴに許容される最大定格を超えないことを確保にするために、それぞれのゲート電圧保護（ツェナー）ダイオード２２１，２２２にも接続される。
【００２６】
予負荷２１１によるエネルギー・ダンピングを停止するために、予負荷スイッチ２１２は、第１期間の後に、切断回路２１４によってオフにされる。予負荷回路２１０はその後リセットされる。当該リセットは、送電器１００からの信号がセット／リセット回路２１３によって受信された際に予負荷リセットスイッチ２１５がまずオフにされ、その後、送電器１００からの信号が停止した時点で予負荷リセットスイッチ２１５がオンにされることによって達成される。これは、第２期間を提供する。
【００２７】
具体的には、ＡＣ電力Ｐinの受信は、セット／リセット回路２１３の容量性素子を充電させ、それにより、ゲートスイッチ２１６がオンになる。これは、予負荷リセットスイッチ２１５のトランジスタ・ゲートを、上述のデフォルトのハイ（high）状態からロー（low）にし、それにより予負荷リセットスイッチ２１５がオフになる。これは、第１及び第２期間の始まりを設定する。リセットスイッチ２１５がオフにされた時点で、切断回路２１４の容量性素子が充電され、それによりゲートスイッチ２１７がオンになる。これは、予負荷スイッチ２１２のトランジスタ・ゲートを、上述のデフォルトのハイ状態からローにし、それにより予負荷スイッチ２１２がオフになる。これは、第１期間の終わりを設定する。第１期間は、予負荷スイッチ２１２が短い時間オンを維持するように、ゲートスイッチ２１７がアクティブ化される前にＡＣ電力Ｐinの受信から遅延を生じさせ、それにより、予負荷２１１が、固有の磁気シグネチャを作るために送電器エネルギーパルスからエネルギーをダンプすることが可能になる。
【００２８】
セット／リセット回路２１３及び切断回路２１４の相対的な構成は、予負荷リセットスイッチ２１５が素早くオフにされるとともに切断回路２１４内の電圧が上昇できるように、抵抗素子／容量素子の抵抗値／容量値を適切に選ぶことによって選択される。例えば、より大きいまたはより小さい抵抗値／容量値を有する抵抗素子及び／または容量性素子を選択することによって、切断回路２１４によって提供される第１期間の選択は、固有の異なる磁気シグネチャを作るように磁気シグネチャを変更する他の仕組みを提供する。
【００２９】
ＡＣ電力が取り除かれた場合、即ち、送電器エネルギーパルスが停止した場合、セット／リセット回路２１３の容量性素子が放電し、それにより、予備電力Ｐaux及びプルアップ抵抗素子２２０の影響下で、ゲートスイッチ２１６がオフになるとともに予負荷リセットスイッチ２１５のゲートが再びハイになる。その結果として、当該リセットスイッチ２１５がオンに戻り、それにより第２期間の終わりが設定される。これは、切断回路２１４に対する電圧をショートさせ、それにより、切断回路２１４の容量性素子が放電するとともに予負荷回路２１０がリセットされる。例えば抵抗素子／容量素子の抵抗値／容量値を適切に選ぶことによって、ゲートスイッチ２１６の動作のために可能性のある最小時間を設定するようにセット／リセット回路２１３を構成することで、切断回路２１４ができるだけ素早く放電されることが可能になる。したがって、予負荷回路２１０は、送電器からの後続するあらゆるエネルギーパルスに間に合うように、素早くリセットされる。
【００３０】
図３に含まれる回路素子及びそのそれぞれの値が例示にすぎず、本発明のＩＣＰＴシステムの動作及び利点を提供したまま他の構成及び／または値を選択できることを、当業者は理解する。同様に、本明細書に記載のあらゆる値も例示にすぎない。更に、本発明の予負荷回路は、ＩＣＰＴ受電器の、整流ステージと電力フロー制御ステージとの間の「中間」（または「整流された」）ステージに位置付けられるように記載されている。本発明のＩＣＰＴシステムの動作及び利点を提供したまま、受電器内で予負荷回路について他の及び／または異なる位置を使用可能であることを、当業者は理解する。更には、本発明のＩＣＰＴシステムの動作及び利点を提供したまま、送電器の検証のために送電器へ通信信号を送信するよう構成される場合には、受電器の代わりに、または受電器に加えて、送電器内に予負荷回路を位置付けることも可能である。
【００３１】
以下では、図４を参照して、図３の回路例との関連で予負荷回路の例示的な動作について説明する。本例では、送電器１００によって受電器１０１へ送信される初期「ｐｉｎｇ」電力信号中で、受電器１０１が、図４の図（ａ）に示されるような送電器１００からのＡＣ電力を受信した場合、予負荷スイッチ２１２のゲートが十分な電圧となるまで（図４の図（ｂ）のポイントＢ）、中間電圧Ｖintは急速に上昇する（図（ｃ）領域Ａ）。このポイントにおいて、予負荷２１１がグラウンドにショートされるため、予負荷スイッチ２１２は「オン」になって実質的に中間電圧の瞬時の急減が生じる（図４の図（ｃ）のポイントＣ）。予負荷スイッチ２１２のゲートは一定期間（例えば、約２００マイクロ秒から５００マイクロ秒）、「ハイ」を維持し（図４の図（ｃ）の期間ｔon）、その後、切断回路２１４によって「ロー」に切り替えられる（図４の図（ｂ）のポイントＤ）。これは、中間電圧Ｖintを、受電器１００の通常動作の典型レベルに戻させる（図４の図（ｃ）のポイントＥ）。これは、予負荷スイッチ２１２のゲート電圧が「ロー」を維持し、かつ、予負荷スイッチ２１２がオフを維持する定常状態動作に、予負荷回路２１０が入るポイントである（図４の図（ｂ）及び（ｃ）のポイントＦ）。
【００３２】
送電器１００が電力の送信を停止した場合、受電器１００（及び予負荷回路２１０）へのＡＣ入力が停止する（図４の図（ａ）のポイントＧ）。これは、予負荷スイッチ２１２のゲート電圧を「ハイ」にプルさせる（図４の図（ｂ）の領域Ｈ）。これにより、予負荷スイッチ２１２がオンになり、中間電圧が予負荷２１１を通じてグラウンドへショートされる（図４の図（ｃ）の領域Ｉ）。受電器１０１に蓄積された全てのエネルギーは消散され、予負荷リセットスイッチ２１５の動作を介して予負荷回路２１０全体が素早く（約５０マイクロ秒以内で）リセットされる（図４の図（ｂ）の期間ｔoffの後）。予負荷回路２１０は、送電器からの次のＡＣパルスに応答できるようになる。
【００３３】
本発明の実施形態の記述によって本発明を説明してきたが、また、実施形態を詳細に説明してきたが、添付の請求項の範囲を多少なりともそのような詳細に限定することは意図していない。更なる利点及び変更が、当業者には容易に見える。したがって、より広い態様の発明が、図示及び記述されている具体的な詳細、代表的な装置及び方法、並びに例示的な例に限定されることはない。このため、全体的な発明概念の精神または範囲から逸脱することなく、そのような詳細からの逸脱がなされてもよい。
【図１】
0006668238.tif 000002
【図２】
0006668238.tif 000003
【図３】
0006668238.tif 000004
【図４】
0006668238.tif 000005